(57)【特許請求の範囲】
【請求項１】
建物構造体の壁開口に取り付けるための主支持フレームであって、平行に離間した垂直フレーム部材が、上側フレーム部材および下側フレーム部材を含む、垂直方向に離間した水平フレーム部材によって堅固に連結されることによって形成され、周縁内側凹部および周縁外側凹部を画定する両側の側部部分を有する主支持フレームと、
前記内側凹部内に配置された内側サッシフレームを含む内側サッシユニット、および前記外側凹部内に配置された外側サッシフレームを含む外側サッシユニットであって、各前記サッシフレームが透明ガラス窓ユニットを囲む、内側サッシユニットおよび外側サッシユニットと、
各前記内側サッシユニットおよび前記外側サッシユニットを前記主支持フレームの前記フレーム部材の１つに回転可能に連結し、開いた位置と閉じた位置との間を回転動作可能なように、各前記内側サッシユニットおよび前記外側サッシユニットを支持する１組のヒンジであって、前記内側サッシフレームおよび前記外側サッシフレームが、ウェザシールによって、前記主支持フレームの前記両側の側部部分に対して封止される、１組のヒンジと、
前記内側サッシユニットおよび前記外側サッシユニットを前記主支持フレームの前記フレーム部材の１つに連結する１組の細長いリンク部材であって、前記内側サッシユニットおよび前記外側サッシユニットを同時に移動させるように連結された１組の細長いリンク部材と、
前記内側サッシフレームに隣接して前記内側サッシユニットに連結されたハンドル部材と、前記主支持フレームの前記フレーム部材の内の１つのサッシ連結器とを含むロックシステムと、
を含んでおり、
前記サッシ連結器が、前記主支持フレームに対して移動可能で且つ各前記サッシフレームに係合可能な係合部材を含んでおり、
前記ハンドル部材の開通位置から閉鎖位置へ移動に呼応して、各前記サッシフレームが前記係合部材とともに移動し、前記主支持フレームの前記フレーム部材の少なくとも１つに取り付けられた受け座部材によって前記内側サッシユニットおよび前記外側サッシユニットの回転が規制されることにより、前記内側サッシユニットおよび前記外側サッシユニットを前記主支持フレームの前記両側の側部部分に固定可能であることを特徴とする断熱窓アセンブリ。
【請求項２】
請求項１に記載の窓アセンブリにおいて、前記リンク部材は、前記主支持フレームの前記フレーム部材の前記１つによって回転可能に支持された第１の端部部分と、前記リンク部材を同時に回転させるために、前記第１の端部部分を連結する相互噛合歯車とを有することを特徴とする窓アセンブリ。
【請求項３】
請求項２に記載の窓アセンブリにおいて、前記リンク部材の前記第１の端部部分は、前記主支持フレームの前記上側フレーム部材によって回転可能に支持されることを特徴とする窓アセンブリ。
【請求項４】
請求項２に記載の窓アセンブリにおいて、各前記細長いリンク部材は、相対伸縮動作可能に連結された第１の部分および第２の部分を含み、前記リンク部材の前記第１の部分は、回転可能に支持された前記第１の端部部分の１つを有し、各前記リンク部材の前記第２の部分は、前記サッシフレームの１つに回転可能に連結されることを特徴とする窓アセンブリ。
【請求項５】
請求項１に記載の窓アセンブリにおいて、前記ロックシステムの前記ハンドル部材は、３つの位置、すなわち、前記内側サッシフレームおよび前記外側サッシフレームの両方を前記主支持フレームの前記両側の側部部分にロックする１つの位置と、前記内側サッシフレームおよび前記外側サッシフレームの両方を前記主支持フレームの前記両側の側部部分から解放する第２の位置と、前記内側サッシフレームだけを前記主支持フレームから解放し、一方で、前記外側サッシユニットは閉じてロックされたままである第３の位置とを有することを特徴とする窓アセンブリ。
【請求項６】
請求項１に記載の窓アセンブリにおいて、前記内側サッシフレームおよび前記外側サッシフレームの上側および下側部分は、各前記サッシユニットが前記閉じた位置にあるときに、前記サッシユニット間の過熱空気が逃げるのを可能にする、調整可能な閉止部材を備えた換気通路を有することを特徴とする窓アセンブリ。
【請求項７】
請求項１に記載の窓アセンブリにおいて、前記主支持フレームの前記垂直フレーム部材および前記水平フレーム部材は、プラスチック材料の押出成形品からなる形材を含み、実質的に同じ断面輪郭を有することを特徴とする窓アセンブリ。
【請求項８】
請求項１に記載の窓アセンブリにおいて、各前記サッシフレームは、垂直方向に離間した水平サッシフレーム部材によって堅固に連結された、水平方向に離間した垂直サッシフレーム部材を含み、前記垂直および水平サッシフレーム部材は、プラスチック材料の押出成形品からなる形材を含み、実質的に同じ断面輪郭を有することを特徴とする窓アセンブリ。
【請求項９】
請求項１に記載の窓アセンブリにおいて、前記ロックシステムは、各前記サッシフレームによって、長手方向に移動可能に支持された細長いストラップ部材を含み、各前記ストラップ部材は、長手方向に離間したスタッドを支持し、
前記サッシ連結器は、各前記サッシフレームの前記ストラップ部材の前記スタッドの１つを受け入れて係合するように、前記主支持フレームの前記フレーム部材の１つ内に支持された前記係合部材を含み、
前記ロックシステムは、前記閉じた位置で各前記サッシユニットをロックするために、各前記サッシフレームの前記ストラップ部材の前記スタッドの少なくとも１つと解放可能に係合するように、前記主支持フレームの前記フレーム部材の少なくとも１つに取り付けられた前記受け座部材を含むことを特徴とする窓アセンブリ。
【請求項１０】
請求項１に記載の窓アセンブリにおいて、前記内側サッシユニットおよび前記外側サッシユニットの両方は、前記主支持フレームの前記垂直フレーム部材の１つに取り付けられた前記ヒンジによって回転可能に支持されることを特徴とする窓アセンブリ。
【請求項１１】
請求項１に記載の窓アセンブリにおいて、前記内側サッシユニットは、前記主支持フレームの前記下側フレーム部材に取り付けられた前記ヒンジによって回転可能に支持され、前記外側サッシユニットは、前記主支持フレームの前記上側フレーム部材に取り付けられた前記ヒンジによって回転可能に支持されることを特徴とする窓アセンブリ。
【請求項１２】
請求項１に記載の窓アセンブリにおいて、前記内側サッシユニットおよび前記外側サッシユニットの両方は、前記主支持フレームの前記上側フレーム部材に取り付けられた前記ヒンジによって回転可能に支持されることを特徴とする窓アセンブリ。
【請求項１３】
請求項１に記載の窓アセンブリにおいて、前記内側サッシユニットと前記外側サッシユニットとの間で前記主支持フレーム内に支持された小ベネチアンブラインドを含むことを特徴とする窓アセンブリ。
【請求項１４】
平行に離間した垂直フレーム部材が、上側フレーム部材および下側フレーム部材を含む、垂直方向に離間した水平フレーム部材によって堅固に連結されることによって形成された、建物構造体の壁開口に取り付けるための主支持フレームを含む断熱窓アセンブリであって、
前記主支持フレームの前記垂直フレーム部材および前記水平フレーム部材は、実質的に同じ断面輪郭を有し、前記主支持フレームは、周縁内側凹部および周縁外側凹部を画定する両側の側部部分を有し、
前記断熱窓アセンブリは、前記内側凹部内に配置された内側サッシフレームを含む内側サッシユニットと、前記外側凹部内に配置された外側サッシフレームを含む外側サッシユニットとを含み、
前記内側サッシフレームおよび前記外側サッシフレームは実質的に同一であり、各前記サッシフレームは、前記主支持フレームに重なる、外方に突出した周縁フランジ部分を有して透明ガラス窓ユニットを囲み、
前記断熱窓アセンブリは、
前記内側サッシユニットを前記主支持フレームの前記垂直フレーム部材の１つに回転可能に連結し、開いた位置と閉じた位置との間を回転動作可能なように、前記内側サッシユニットを支持する１組のヒンジであって、前記フランジ部分を有する前記内側サッシフレームおよび前記外側サッシフレームが、ウェザシールによって、前記主支持フレームの前記両側の側部部分に対して封止される、１組のヒンジと、
移動可能なハンドル部材およびサッシ受け座を含み、前記ハンドル部材の開通位置から閉鎖位置への移動に呼応して、前記主支持フレームの前記内側凹部内に前記内側サッシユニットを固定するように動作可能なロックシステムと、
を含み、
前記内側サッシフレームおよび前記外側サッシフレームは、各前記サッシユニットが前記閉じた位置にあるときに、前記サッシユニット間の過熱空気が逃げるのを可能にする、調整可能な閉止部材を有する換気通路を含む上側および下側部分を有することを特徴とする窓アセンブリ。
【請求項１５】
請求項１４に記載の窓アセンブリにおいて、前記主支持フレームの前記垂直フレーム部材および前記水平フレーム部材は、プラスチック材料の押出成形品からなる形材を含み、実質的に同じ断面輪郭を有することを特徴とする窓アセンブリ。
【請求項１６】
請求項１４に記載の窓アセンブリにおいて、各前記サッシフレームは、垂直方向に離間した水平サッシフレーム部材によって堅固に連結された、水平方向に離間した垂直サッシフレーム部材を含み、前記垂直および水平サッシフレーム部材は、プラスチック材料の押出成形品からなる形材を含み、実質的に同じ断面輪郭を有することを特徴とする窓アセンブリ。
【請求項１７】
請求項１４に記載の窓アセンブリにおいて、前記ロックシステムは、前記内側サッシフレームによって長手方向に移動可能に支持され、長手方向に離間したスタッドを支持する細長いストラップ部材と、前記閉じた位置で各前記内側サッシユニットをロックするために、前記内側サッシフレームの前記ストラップ部材の前記スタッドと解放可能に係合するように、前記主支持フレームの前記垂直フレーム部材の１つに取り付けられた受け座部材とを含むことを特徴とする窓アセンブリ。
【請求項１８】
請求項１４に記載の窓アセンブリにおいて、前記内側サッシユニットと前記外側サッシユニットとの間で前記主支持フレーム内に支持された小ベネチアンブラインドを含むことを特徴とする窓アセンブリ。
【請求項１９】
建物構造体の壁開口に取り付けるための主支持フレームであって、平行に離間した垂直フレーム部材が、上側フレーム部材および下側フレーム部材を含む、垂直方向に離間した水平フレーム部材によって堅固に連結されることによって形成され、周縁内側凹部および周縁外側凹部を画定する両側の側部部分を有する主支持フレームと、
前記内側凹部内に配置された内側サッシフレームを含む内側サッシユニット、および前記外側凹部内に配置された外側サッシフレームを含む外側サッシユニットであって、各前記サッシフレームが透明ガラス窓ユニットを囲む、内側サッシユニットおよび外側サッシユニットと、
各前記内側サッシユニットおよび前記外側サッシユニットを前記主支持フレームの前記フレーム部材の１つに回転可能に連結し、開いた位置と閉じた位置との間を回転動作可能なように、各前記内側サッシユニットおよび前記外側サッシユニットを支持する１組のヒンジであって、前記内側サッシフレームおよび前記外側サッシフレームが、ウェザシールによって、前記主支持フレームの前記両側の側部部分に対して封止される、１組のヒンジと、
前記内側サッシユニットおよび前記外側サッシユニットを前記主支持フレームの前記フレーム部材の１つに連結する１組の細長いリンク部材であって、前記主支持フレームの前記フレーム部材の前記１つによって回転可能に支持された第１の端部部分を有し、前記内側サッシユニットおよび前記外側サッシユニットを同時に移動させるために、前記リンク部材が同時回転するように、相互噛合歯車が前記第１の端部部分を連結する、１組の細長いリンク部材と、
前記内側サッシフレームに隣接したハンドル部材を含み、前記ハンドル部材の開通位置から閉鎖位置への移動に呼応して、前記内側サッシユニットおよび前記外側サッシユニットを前記主支持フレームの前記両側の側部部分に固定するように動作可能なロックシステムと、
を含んでおり、
各前記細長いリンク部材は、相対伸縮動作可能に連結された第１の部分および第２の部分を含み、各前記リンク部材の前記第１の部分は、回転可能に支持された前記第１の端部部分の１つを有し、各前記リンク部材の前記第２の部分は、前記サッシフレームの１つに回転可能に連結されることを特徴とする断熱窓アセンブリ。
【発明の詳細な説明】
【背景技術】
【０００１】
例えば、本発明の発明人および譲受人に対して交付された米国特許第４，９４１，２８８号明細書、同第５，００３，７４７号明細書、同第６，０５５，７８２号明細書、同６，８２６，８７１号明細書、および同７，９７５，４３２号明細書に開示されたような、ポリ塩化ビニル（ＰＶＣ）などのプラスチック材料の押出成形品を使用した窓ユニットまたはアセンブリの構築において、熱伝導抵抗と、耐風荷重性と、嵐で運ばれた破片の衝突に対する耐性とを大幅に高め、さらに音響透過に対する強化障壁を大幅に増強した動作可能な窓ユニットまたはアセンブリを提供することが望ましいと分かった。空気および水に対する浸入抵抗を高め、強制侵入を防止し、赤外線および紫外線からの保護を強化した窓アセンブリを提供することも望ましいと分かった。さらに、使い勝手がよいと同時に、経済的に構築できる窓ユニットまたはアセンブリにこれらの望ましい特徴のすべてを付与するのが望ましい。上記の特徴の一部を提供する動作可能な窓アセンブリが製造または提案されたが、上記の望ましい特徴および利点のすべてを実現したアセンブリはない。
【発明の概要】
【０００２】
本発明は、上記の望ましい特徴および利点のすべてを実現した、改良された断熱窓アセンブリに関する。本発明の一実施形態によれば、アセンブリは、押出プラスチック材料からなる形材で構築され、内側周縁空洞または凹部と外側周縁空洞または凹部とを画定する両側の側部部分を有する、建物構造体の開口に取り付けるための主支持フレームを含む。１組の平行に離間したサッシユニットは、同様に押出プラスチック材料からなる形材で構築され、凹部内に配置された１対のサッシフレームを含み、各サッシフレームは、平行に離間した断熱ガラスパネルを囲む。１つのヒンジセットは、内側サッシユニットをフレーム部材の１つに連結し、第２のヒンジセットは、外側サッシユニットを主支持フレームのフレーム部材の１つに連結し、開いた位置と閉じた位置との間を移動できるようにサッシユニットを支持し、サッシフレームは、閉じた位置において、主フレームの両側の側部部分と接触するウェザシールによって封止される。
【０００３】
１組の細長い入れ子式リンク部材は、内側サッシフレームおよび外側サッシフレームを主支持フレームに連結し、入れ子式リンク部材は１組の対向した歯車に連結されて、内側サッシユニットおよび外側サッシユニットを同時に移動させる。ロックシステムは、内側サッシフレームに隣接したハンドル部材を含み、内側サッシフレームおよび外側サッシフレームの両方を解放し、さらに、ハンドルが開通位置から閉鎖位置に移動したのに応じて、両方のサッシフレームを主フレームの両側の側部部分に押し付けて固定するように、主支持フレーム内のロック用連結器を作動させる。
【０００４】
本発明の他の特徴および利点が、以下の説明、添付図面、および添付の特許請求の範囲から明らかになるであろう。
【図面の簡単な説明】
【０００５】
【図１】図１は、本発明に従って構築された断熱開き窓アセンブリの斜視図である。
【図２】図２は、図１に示す窓アセンブリの正面図である。
【図３】図３は、図１に示し、内側サッシユニットが開いた位置で示された窓アセンブリの斜視図である。
【図４】図４は、図３に示す窓アセンブリの平面図である。
【図５】図５は、図３と同様であり、内側サッシユニットおよび外側サッシユニットの両方を開いた位置で示す斜視図である。
【図６】図６は、図５に示す窓アセンブリの平面図である。
【図７】図７は、概ね図６の７−７線に関する正面図である。
【図８】図８は、主支持フレームのヘッド部材と、閉じた位置にあるサッシフレームの上側フレーム部材とを通る垂直断面図である。
【図９】図９は、サッシフレームを相互連結する歯車作動アームの平面図である。
【図１０】図１０は、図９の１０−１０線に関するアームの一方の断面図である。
【図１１】図１１は、主支持フレームおよびサッシフレームの水平断面図であり、ロックシステムが未ロック位置で示されている。
【図１２】図１２は、サッシフレーム用のロックシステムのサッシ連結器ユニットの斜視図である。
【図１３】図１３は、図１１および図１２に示すサッシ連結器ユニットの正面図である。
【図１４】図１４は、図５に示すサッシフレーム用のロックシステムの部分分解概略斜視図である。
【図１５】図１５は、図１４に示すロックシステムの別の部分分解概略斜視図である。
【図１６】図１６は、図１および図２に示す窓アセンブリの垂直断面図であり、閉じたサッシユニット間の空所に配置されたスクリーンユニットおよび小ブラインドユニットを示しており、アセンブリの中央部分が破断されている。
【図１７】図１７は、図１６に示す窓アセンブリの水平断面図である。
【図１８】図１８は、図１〜７に示す窓アセンブリに組み込まれたロックシステムの概略部分斜視図である。
【図１９】図１９は、図１〜７に示す窓アセンブリに組み込まれたロックシステムの概略部分斜視図である。
【図２０】図２０は、図１〜７に示す窓アセンブリに組み込まれたロックシステムの概略部分斜視図である。
【図２１】図２１は、本発明に従って構築され、開いた位置で示された突き出し／内倒し窓アセンブリの斜視図である。
【図２２】図２２は、図２１に示す窓アセンブリの垂直断面図である。
【図２３】図２３は、図２１および図２２に示す窓アセンブリで使用されるサッシ連結器ユニットの正面図である。
【図２４】図２４は、本発明に従って構築され、開いた位置で示された換気窓アセンブリの斜視図である。
【図２５】図２５は、図２４に示す窓アセンブリの端面図である。
【発明を実施するための形態】
【０００６】
図１〜７を参照すると、本発明に従って構築された開き窓タイプの窓アセンブリ３０は、建物構造体の壁の開口に取り付けられるように構成された主支持フレーム３２を含む。フレーム３２は、平行に離間した垂直フレーム部材３４（図１７）が、垂直方向に離間した水平フレーム部材３６（図１６）によって堅固に連結されることで形成され、フレーム部材３４、３６は、ポリ塩化ビニル（ＰＶＣ）などの剛性プラスチック材料の押出成形品からなる形材によって形成されている。各フレーム部材３４、３６は、同じ断面構成または輪郭を有し、フレーム部分３４、３６は、溶接された留め継ぎコーナ継ぎ目３８によって、従来の態様で互いに連結されている。図１６および図１７に示すように、フレーム部材３４、３６は、長方形の内側空洞または凹部４２および対応する長方形の外側空洞または凹部４４を画定する両側の側部部分を有する。各フレーム部材３４、３６はまた、一体に押出成形され、内方に突出したＴ字形状の中央部分４６（図１６）を含み、中央部分４６は、凹部４２、４４の内側部分を囲んで延びる、外方に突出したウェザシール４７を支持している。
【０００７】
図１６および図１７に示すように、内側サッシアセンブリまたはユニット５０は、内側空洞４２内に配置され、外側サッシアセンブリまたはユニット５２は、主支持フレーム３２の外側空洞４４内に支持されている。各サッシユニット５０、５２は、ＰＶＣなどの剛性プラスチック材料の押出成形品からなる直線状形材で形成された長方形のサッシフレーム５５を含み、内側および外側サッシフレーム５５は、大きさおよび断面輪郭が同一である。各サッシフレーム５５は、主支持フレーム３２に重なり、周縁に延びるウェザシール５９を支持および担持する、外方に突出した周縁フランジ部分５７を含む。各サッシフレーム５５はまた、透明ガラス窓ユニット６５を支持し、透明ガラス窓ユニット６５は、従来からの態様で、周縁に延びるスペーサフレーム６９によって分離され、周縁に延びる結合材７２によって互いに封止された、パネル６７の平行に離間したガラス板によって形成された２重窓ガラス断熱ガラスユニットとして示されている。サッシフレーム５５および断熱ガラス窓ユニット６５はまた、本発明の譲受人に対して交付された米国特許第７，６２１，０８２号明細書に開示されているように構築し、組み立てることができ、この特許の開示は、参照により本明細書に援用するものとする。断熱ガラスまたはガラス窓ユニット６５は、ユニット６５とサッシフレーム５５の周縁との間のガラス封止剤と、従来からの態様で押出成形されたプラスチック材料で形成された、周縁に延びるガラス用ストリップ７４とによって、サッシフレーム５５に取り外し可能に保持されている。
【０００８】
各内側サッシユニット５０および外側サッシユニット５２は、主支持フレーム３２の垂直フレーム部材３４に連結された隠しヒンジ７８のセットまたは対（図４および図６）によって回転動作可能に支持され、隠しヒンジ７８は、窓業界で一般的に使用されている。図５〜１０を参照すると、内側サッシユニット５０および外側サッシユニット５２は、サッシ連結ユニット８５（図８および図９）によって、閉じた位置（図１）と完全に開いた位置（図５）との間を同時に移動するように連結されている。ユニット８５は、１対のスタブシャフト９１（図９）によって互いに連結されたベースプレート８６およびカバープレート８８（図１８）を含み、１対のスタブシャフト９１は、１対の平坦な相互噛合平歯車９３を支持し、１対の細長い入れ子式アーム９５がこの平歯車９３から延びている。平歯車９３は、プレート８６、８８間に収容され、アーム９５とともにサッシ連結ユニット８５を形成している。ユニットは、主支持フレームの水平ヘッド部材３６のＴ字形状部分４６内に形成されたスロット９８（図８）を水平方向に貫通し、ベースプレート８６のコーナ部分は、１組の留め具またはねじ９９によってヘッド部材３６に固定されている。
【０００９】
各入れ子式アーム９５は、平坦なアーム部材またはバー１０４を捕捉し、スライド可能に支持するチャネル部材１０２（図１０）を含む。各アーム７５の外側端部部分は、ボタン１０６を用いて対応するサッシフレーム５５の上面に回転可能に連結されている。外側サッシフレーム５５用のボタン１０６は、サッシフレームのチャネル部分１０８（図８）内に保持されたブロック１０７（図１４および図１８）に連結している。ボタン１０６の内側サッシフレーム５５への回転連結については後述する。したがって、内側サッシユニット５０が、その閉じた位置とその開いた位置との間を移動または回転すると、サッシ連結ユニット８５により、外側サッシユニット５２が、その閉じた位置と開いた位置との間を同時に移動または回転する。
【００１０】
図１１〜１５および図１８〜２０を参照して、内側サッシユニット５０および外側サッシユニット５２は、ロック機構またはシステム１２０によって同時にロックまたはロック解除される。システムは、内側サッシユニット５０のサッシフレーム５５の外側垂直サッシ部材内に凹設された歯車ハウジング１２４によって回転可能に支持されたシャフト１２３（図１１）に取り付けられたハンドル部材１２２を含む。シャフト１２３（図１１）は、細長いストラップ１２６（図１４、図１５、および図１８〜２０）を移動させるように連結された歯車機構（図示せず）を収容したハウジング１２４を貫通し、細長いストラップ１２６は、内側サッシフレーム５５の垂直サッシフレーム部材のチャネル１０８内に垂直に延びている。
【００１１】
垂直ストラップ１２６は、１組の上側および下側ロックピンまたはスタッド１３０と、中間スタッド１３２とを支持し、スタッドは、主支持フレーム部材３４内で内側凹部４２内に向かって外方に突出している。垂直ストラップ１２６の上側部分は、湾曲した薄い可撓性バンド部分１３６（図１８〜２０）によって、水平ストラップ１３８に連結され、水平ストラップ１３８は、内側サッシユニット５０用のアーム９５の外側端部のボタン１０６を受け入れるスロット１４３を有する内側サッシ切り離し具１４２と連結している。スロット１４３は、内側アーム９５を内側サッシフレーム５５から解放するために、ボタン１０６が通過できる端部開口１４４を有する。したがって、スタッド１３０、１３２を有するストラップ１２６を垂直方向に移動させるのは、ストラップ１３８および用具１４２を内側サッシユニット５０の上部フレーム部材内で、水平方向に短い距離だけ移動させるのに有効である。離間したスタッドと、サッシフレームのコーナのまわりに延びる薄い部分とを有するストラップは、Ｉｎｔｅｒｌｏｃｋ  ＵＳＡ  Ｃｏｒｐｏｒａｔｉｏｎ  ｉｎ  Ｒｅｎｏ，ＮＶおよびＲｏｔｏ  Ｆｒａｎｋ  ｏｆ  Ａｍｅｒｉｃａ，Ｉｎｃ．ｉｎ  Ｅｓｓｅｘ，ＣＴなどのハードウェアメーカによって製造される。
【００１２】
ロックシステム１２０はまた、外側サッシフレーム５２の外側垂直フレーム部材のチャネル１０８内に延び、ストラップ１２６よりも短い垂直ストラップ１４６（図１８〜２０）を含む。ストラップ１４６はまた、ストラップ１２６のスタッドと同じ垂直間隔をとる１組のスタッド１３０、１３２を担持している。図１１〜１３を参照すると、ロックシステム１２０はまた、サッシ連結器ユニット１５０を含み、サッシ連結器ユニット１５０は、２つのスタッド１５６（図１３）によってブラケット１５２に保持された回転アクチュエータ部材もしくはプレート、またはスライドアクチュエータ部材もしくはプレート１５４を支持する金属ブラケット１５２によって形成され、スタッド１５６は、アクチュエータプレート１５４が、ねじれる、または曲がることなく、ブラケット１５２上をスライドするように、対応するスロット１５７を貫通して突出している。アクチュエータプレート１５４はまた、ピン１５９によって保持されたブッシュ１５８（図１３）によってブラケット１５２に保持され、１対の対向する板ばね１６２は、ブッシュ１５８と係合するように形成され、支持ブラケット１５２上でのアクチュエータプレート１５４の中心配置用の移動止めとなっている。
【００１３】
図１１に示すように、サッシ連結器ユニット１５０は、主支持フレーム３２の外側垂直フレーム部材３４のＴ字形中央部分４６内の垂直スロット１６３を貫通している。ユニット１５０は、サッシユニットが、空洞４２、４４内でそれらの閉じた位置にあるときに、アクチュエータプレート１５４の両端部分内のＵ字形状の空洞または凹部１６４が、ストラップ１２６、１４６のスタッド１３２を受け入れるように配置され（図２０）、内側サッシユニット５０および外側サッシユニット５２のサッシフレーム５５によって担持される。
【００１４】
図１４、図１５、および図１８〜２０に示すように、ロックシステム１２０はまた、１組のロック用受け座１７２、１７４を有し、内側サッシフレーム用の受け座１７２は、単一の直角タブ１７６を含み、外側サッシフレーム用の受け座１７４は、１対の離間した直角タブ１７８を有する。受け座１７２、１７４は、図３および図５に示すように、主支持フレーム３２の外側垂直フレーム部材３４に取り付けられ、タブ１７６、１７８は、ストラップ１２６、１４６が、内側サッシユニット５０および外側サッシユニット５２のロック位置（図１８）まで垂直方向下方にシフトされた場合に、内側および外側サッシフレーム５５のストラップ１２６、１４６上のスタッド１３０を止めるように機能する。
【００１５】
図１８〜２０に示すように、ロックシステム１２０のハンドル１２２は、３つの機能位置を有する。ハンドル１２２が下にある場合（図１８）、ストラップ１２６、１４６は、サッシフレームの各ストラップの上側および下側スタッド１３０が、受け座１７２、１７４のタブ１７６、１７８の後ろに配置されて、内側および外側サッシフレームがそれらの閉じた位置にロックされる位置に配置される。ストラップ１２６、１４６は、サッシ連結器ユニット１５０があるために、ハンドル１２２の回転に応じて、共に垂直方向で同じ方向に移動する。サッシ連結器ユニットが、回転アクチュエータプレートを有する場合、ストラップ１２６、１４６は反対方向に移動する。スタッド１３０が、受け座１７２のタブ１７６および受け座１７４の下側タブ１７８の後ろにシフトした場合、サッシフレームは、サッシフレーム５５をウェザシール４７に押し付ける、またはウェザシール４７に当てて固定するようにタブによって内側に案内されて、各サッシフレーム５５と主支持フレーム３２との間に流体密封封止を形成する。
【００１６】
ハンドル部材１２２が水平位置（図２０）まで回転された場合、ストラップ１２６、１４６は、スタッド１３０がもはやタブ１７６、１７８の後ろにない、サッシユニットのための開通位置まで上方にシフトする。水平開通位置では、ハンドル部材１２２を引き寄せて、内側サッシユニット５０をその開いた位置（図５〜７）まで回転させることができ、それと同時に、外側サッシユニット５２も、図８〜１０に関連して上記に説明したサッシ相互連結ユニット８５により、その開いた位置まで回転する。
【００１７】
ハンドル部材１２２が、その閉鎖または下の位置（図１８）からその上方に突出した位置（図１９）まで１８０°回転すると、ストラップ１２６、１４６は、サッシ連結器ユニット１５０を通じてそれらの最上位置まで移動する。この上側位置で、内側サッシフレーム用のスタッド１３０は、受け座１７２のロックタブ１７６より上に配置され、ストラップ１４６のスタッド１３０は、受け座１７４の上側ロックタブ１７８の後ろに移動する。内側ストラップ１２６がその上側位置に移動すると、ストラップ１２６の上側水平部分１３８は水平方向にシフトして、内側サッシ用のアーム９５のボタン１０６を解放する位置（図２０）に内側サッシ切り離し部材１４２を移動させるので、スタッド１０６は、もはや内側サッシフレームに強制的に連結されない。次いで、内側サッシユニット５０は、その開いた位置（図３および図４）に引き寄せることができ、一方、外側サッシユニット５２は、その閉じた位置で主支持フレーム３２にロックされたままである。図１９のこの位置では、サッシ連結ユニット８５は、図９に示す位置にあるままであり、アーム９５は、ほぼ平行な関係にある。
【００１８】
本発明の別の実施形態を示すが、同様な部品にはプライム記号が付いている図２１〜２３を参照すると、突き出し／内倒し窓アセンブリ１８５が、図１〜２０に関連して開示した開き窓アセンブリ３０と同じ態様で構築されている。アセンブリ１８５は、主支持フレーム３２とほぼ同様に構築された主支持フレーム１９２を含む。内側サッシユニット１９４および外側サッシユニット１９６は、内側サッシユニット５０および外側サッシユニット５２とほぼ同様に構築されている。ただし、内側サッシユニット１９４は、主支持フレーム１９２の底部水平サッシ部材に連結された１組のヒンジによって回転可能に支持され、外側サッシユニット１９６は、主支持フレーム１９２の上部水平サッシ部材に連結された１組のヒンジによって回転可能に支持されている。主支持フレーム１９２の各垂直フレーム部材１９７は、サッシ連結ユニット２０５（図２３）を支持し、サッシ連結ユニット２０５は、相互連結平歯車２０７（図２３）を追加したことを除いて、サッシ連結ユニット８５とほぼ同様に構築されている。
【００１９】
歯車２０７は、アーム９５’が反対方向に回転するのを可能にするので、内側サッシユニット１９４が、その閉じた位置とその開いた位置との間を回転するときに、外側サッシユニット１９６は、それと同時に、その閉じた位置と、図２１および図２２に示すその開いた位置との間を移動する。内側サッシユニット１９４はまた、主支持フレーム１９２の上部フレーム部材内に配置された、対応するサッシ連結器ユニット１５０を通じて、内側サッシユニット１９４の上部フレーム部材および外側サッシユニット１９６の底部フレーム部材に凹設された、対応するストラップ１２６’を駆動する、またはシフトさせる１つまたは２つのハンドル部材１２２を設けられている。したがって、両方のハンドル部材１２２が開通位置にある場合に、内側サッシユニット１９４をその閉じた位置とその開いた位置との間で傾斜移動させることで、外側サッシユニット１９６がその閉じた位置とその開いた位置との間を同時に移動する。各ハンドル部材１２２をそのロック位置に移動させることで、内側サッシユニット１９４および外側サッシユニット１９６のまわりに延びるストラップ１２６をシフトさせることにより、内側サッシユニット１９４および外側サッシユニット１９６が、主支持フレーム１９２に同時にロックされる。
【００２０】
本発明の別の実施形態を示す図２４および図２５を参照すると、主支持フレーム２２０が、内側サッシユニット２２５および外側サッシユニット２３０を支持しており、内側サッシユニット２２５および外側サッシユニット２３０は、１組の隠しヒンジによって、主支持フレーム２２０の水平フレーム部材に共に連結されている。１対のサッシ連結ユニット８５は、主支持フレーム２２０の垂直フレーム部材に取り付けられ、開いた位置と閉じた位置との間で同時に回転動作するように、内側サッシユニット２２５と外側サッシユニット２３０とを連結している。サッシユニットの重量との釣り合いをとるために、内側サッシユニットの垂直サッシ部材および主フレームの垂直部材の内側部分に空気ばねを連結することができる。サッシユニット２２５、２３０の底部フレーム部材は、上記のロックシステム１２０とほぼ同様に構築されるが、主支持フレーム２２０の底部水平フレーム部材内に配置された１対のロック連結器１５０を有する１組のロックシステムによって、主支持フレーム２２０の底部フレーム部材にロックされる。したがって、ハンドル部材１２２を開通位置（図２４および図２５）と閉鎖位置との間で移動させることで、サッシユニット２２５、２３０の両方が、主支持フレーム２２０の底部水平フレーム部材に固定された受け座１７２の対応するセットに同時にロックされる。
【００２１】
図１６および図１７に示すように、スクリーンユニット２４０と格納式の調整可能な小ベネチアンブラインド２５０とが、内側サッシユニット５０と外側サッシユニット５２との間の空所内に支持され、それにより、スクリーンユニット２４０およびブラインドユニット２５０を保護している。小ブラインド２５０を清掃するか、調整するか、または取り外す、あるいはスクリーンユニット２４０を清掃するか、または取り外すことが望ましい場合に、図３および図４に示すように、内側サッシユニット５０のハンドル部材１２２をその上側位置（図１９）に移動させて、外側サッシユニット５２が主支持フレームにロックされたままの状態で、内側サッシユニット５０を解放して、開いた位置まで回転できるようにする。これは、寒い天気のときに、冷たい外気が窓アセンブリから流入するのを防止しながら、小ブラインドユニット２５０を清掃または調整したい、あるいはスクリーンユニット２４０を取り外したい場合に特に望ましい。
【００２２】
図１〜３、図５、および図７に示すように、内側サッシユニット５０および外側サッシユニット５２の上部および底部フレーム部材には、細長い換気ユニット２５５が設けられており、換気ユニット２５５は、離間した換気開口またはスロットの後ろで移動またはスライドする温度感応型バイメタル閉止部材を有するのが好ましい。換気ユニット２５５の目的は、夏および冬における内側サッシユニット５０と外側サッシユニット５２との間の空所の過熱を防止することである。ユニット２５５は、冬期に主支持フレーム３２のＴ字形部分４６の開口（図１７）を通って内側サッシフレーム５５内の換気ユニット２５５に至る対流によって、過熱空気を建物の内部に排出するために、および夏期中に外側サッシフレーム５５の換気ユニットから過熱空気を逃がすために校正される。本発明者が設計したユニット２５５の１つの供給元は、Ｓｍａｒｔ  Ｖｅｎｔ  Ｐｒｏｄｕｃｔｓ，Ｉｎｃ．ｉｎ  Ｐｉｔｍａｎ  ＮＪである。
【００２３】
図面および上記の説明から、本発明に従って構築された断熱窓アセンブリが、望ましい特徴および利点を提供することは明らかである。より具体的には、２重断熱サッシユニットは、窓アセンブリを通過する熱伝導に対する抵抗を大幅に高くすることで、極めて高い熱効率を実現する。２重サッシユニットはまた、正および負両方の風加重に対する耐性、ならびに嵐に運ばれた空中浮遊破片の衝突に対する耐性を大幅に強化するが、その理由は、サッシユニットの一方が、正または負のいずれかの風加重、あるいは破片の衝突に呼応して、主支持フレームをより強く常に押すからである。それぞれが複層断熱ガラスパネルを有する２重サッシユニットと、サッシユニット間のさらなる空所とはまた、音響エネルギの伝達に対する強化された障壁を形成している。さらに、窓アセンブリは、簡便にも、内側サッシユニットの１つのハンドルを引き寄せて両方のサッシユニットを開き、ハンドルを押して両方のサッシユニットを閉じることで、簡単な操作を実現している。ハンドルを回すことで、両方のサッシユニットが、主支持フレームに対して効果的にロックおよびロック解除され、さらに、外側サッシユニットのロックを解除することなく、内側サッシユニットだけが解放される。
【００２４】
主フレーム部材に重なるフランジ部分５７を有する２重断熱サッシユニットはさらに、強制侵入ならびに水および空気の浸入を阻止するか、または阻止性を高める。さらに、同一のサッシフレームおよびガラスもしくはガラス窓ユニットを用いて２重断熱サッシユニットを構築することにより、両方のサッシユニットを同時に製造できるので、窓アセンブリの製造コストが大幅に削減される。２重サッシ窓アセンブリはさらに、天候、摩耗、または虫による損傷から、および塵埃の集積から窓ブラインドユニットおよびスクリーンユニットを保護する。外側サッシユニットが開かず、見晴らし窓として機能するように、２重サッシ開き窓アセンブリの外側サッシユニットを固定またはロックすることも本発明の範囲内である。この場合に、ロックシステムは、主支持フレームに対して内側サッシユニットだけを開閉し、ロックすることを可能にし、小ブラインドユニットおよび外側サッシユニットに簡便にアクセスして清掃を行うことを可能にする。本発明に従って構築された断熱窓アセンブリはまた、上記と同じ利点を提供するドアアセンブリを形成するために使用することもできる。
【００２５】
本明細書で説明した窓アセンブリの形態は、本発明の好ましい実施形態となるが、当然ながら、本発明は、これらの厳密な形態に限定されず、添付の特許請求の範囲で規定された本発明の範囲および趣旨から逸脱することなく、変更が行われる。
【図１】
0006285420.tif 000002
【図２】
0006285420.tif 000003
【図３】
0006285420.tif 000004
【図４】
0006285420.tif 000005
【図５】
0006285420.tif 000006
【図６】
0006285420.tif 000007
【図７】
0006285420.tif 000008
【図８】
0006285420.tif 000009
【図９】
0006285420.tif 000010
【図１０】
0006285420.tif 000011
【図１１】
0006285420.tif 000012
【図１２】
0006285420.tif 000013
【図１３】
0006285420.tif 000014
【図１４】
0006285420.tif 000015
【図１５】
0006285420.tif 000016
【図１６】
0006285420.tif 000017
【図１７】
0006285420.tif 000018
【図１８】
0006285420.tif 000019
【図１９】
0006285420.tif 000020
【図２０】
0006285420.tif 000021
【図２１】
0006285420.tif 000022
【図２２】
0006285420.tif 000023
【図２３】
0006285420.tif 000024
【図２４】
0006285420.tif 000025
【図２５】
0006285420.tif 000026